(57)【要約】【課題】医療機器の迷子や遺失に伴う医療事務の時間的な損失を防ぐこと。【解決手段】到達距離まで信号を発信する位置ビーコン４及び機器ビーコン３と、前記信号を受信し得る固定レシーバ５や看護師端末６と、サーバ１とが存在する。位置ビーコン４は例えば図２の医療機関Ｈの病室に固定される。機器ビーコン４は、医療機関Ｈ内を移動し得る管理対象機器Ｔ等に配置される。位置ビーコン４から発信された位置ビーコン情報と、機器ビーコン３から発信された機器ビーコン情報との組み合わせに基づいて、管理対象機器Ｔの位置が特定される。【選択図】図５
2022000941.tif 000002
【特許請求の範囲】
【請求項１】
到達距離まで信号を発信する第１発信機及び第２発信機と、前記信号を受信し得る受信機と、情報処理装置とを備える情報処理システムにおいて、
前記第１発信機は、不動産内の所定位置に固定され、
前記第２発信機は、前記不動産内を少なくとも移動可能な移動体に配置され、
前記情報処理装置は、
前記第１発信機から発信されて前記受信機に受信された信号と、前記第２発信機から発信されて前記受信機に受信された信号との組み合わせに基づいて、前記移動体の位置の特定を行う特定手段、
を備える
情報処理システム。
【請求項２】
前記受信機には、前記不動産内の所定位置に固定されたものと、前記不動産内を移動可能とするものとが含まれる、
請求項１に記載の情報処理システム。
【請求項３】
前記受信機は、通信機能を備え、前記移動体に設置されている、
請求項１に記載の情報処理システム。
【発明の詳細な説明】
【技術分野】
【０００１】
本発明は、情報処理システムに関する。
【背景技術】
【０００２】
従来より、動産の位置に関する情報としてのＧＰＳ（Ｇｌｏｂａｌ  Ｐｏｓｉｔｉｏｎｉｎｇ  Ｓｙｓｔｅｍ）位置情報を利用して、当該物を管理する手法は存在する（例えば特許文献１参照）。
【先行技術文献】
【特許文献】
【０００３】
【特許文献１】特表２０１８−５３０９７５号公報
【発明の概要】
【発明が解決しようとする課題】
【０００４】
しかしながら、ＧＰＳ位置情報は、人工衛星の信号を受信することが前提となる。このため、基本的には管理の対象となる動産が屋外に存在しなければ、ＧＰＳの信号を受信することができない。つまり、屋根がある場所や地下空間では、管理の対象となる動産のＧＰＳ位置情報を取得することができない。
これに対して、現実社会では、屋内に存在する動産の位置を正確に管理しなければならない場面は多く存在する。例えば医療機関（屋内）には、様々な医療機器（動産）が配備されているが、管理不全、戻し忘れ、転院、破損による投棄、自宅療養への貸出、盗難等によって迷子や遺失する医療機器も多い。特に輸液ポンプ、呼吸器、ペースメーカといった入院患者や外来急患に多く利用される医療機器は、医療機関内のあらゆる場所に移動されるため、迷子や遺失が特に生じ易い傾向にある。
このような医療機器の迷子や遺失は、医療業務における時間的な損失となるため、解決すべき問題とされている。
【０００５】
本発明は、このような状況に鑑みてなされたものであり、医療機器の迷子や遺失に伴う医療事務の時間的な損失を防ぐことを目的とする。
【課題を解決するための手段】
【０００６】
上記目的を達成するため、本発明の一態様の情報処理システムは、
到達距離まで信号を発信する第１発信機及び第２発信機と、前記信号を受信し得る受信機と、情報処理装置とを備える情報処理システムにおいて、
前記第１発信機は、不動産内の所定位置に固定され、
前記第２発信機は、前記不動産内を少なくとも移動可能な移動体に配置され、
前記情報処理装置は、
前記第１発信機から発信されて前記受信機に受信された信号と、前記第２発信機から発信されて前記受信機に受信された信号との組み合わせに基づいて、前記移動体の位置の特定を行う特定手段、
を備える。
【発明の効果】
【０００７】
本発明によれば、医療機器の迷子や遺失に伴う医療事務の時間的な損失を防ぐことができる。
【図面の簡単な説明】
【０００８】
【図１】本発明の一実施形態に係る情報処理システムの適用対象となる本サービスの概要を示す図である。
【図２】ビーコン情報を取得するための具体的手法を示す図である。
【図３】本発明の一実施形態に係る情報処理システムの構成の一例を示すブロック図である。
【図４】図３の情報処理システムのうち、サーバのハードウェア構成の一例を示すブロック図である。
【図５】図４のサーバにより実行が制御される処理のうち、機器位置情報報知処理を実現させる機能的構成の一例を示す機能ブロック図である。
【図６】図３の管理者端末にインストールされた専用アプリのＵＩのうち、トップ画面の一例を示す図である。
【図７】図３の管理者端末にインストールされた専用アプリのＵＩのうち、フロア利用状況画面の一例を示す図である。
【図８】図３の管理者端末にインストールされた専用アプリのＵＩのうち、利用状況一覧画面の一例を示す図である。
【図９】図３の管理者端末にインストールされた専用アプリのＵＩのうち、登録リスト画面の一例を示す図である。
【図１０】図３の管理者端末にインストールされた専用アプリのＵＩのうち、新規登録画面の一例を示す図である。
【発明を実施するための形態】
【０００９】
以下、本発明の実施形態について、図面を用いて説明する。
【００１０】
まず、図１を参照して、本発明の情報処理装置の一実施形態に係るサーバ１が適用される情報処理システム（後述する図３参照）の適用対象となるサービス（以下、「本サービス」と呼ぶ）の概要について説明する。
【００１１】
図１は、本発明の一実施形態に係る情報処理システムの適用対象となる本サービスの概要を示す図である。
【００１２】
本サービスは、本発明の情報処理装置の一実施形態に係るサーバ１を管理するサービス提供者Ｇにより提供されるサービスである。本サービスは、例えば医療機関Ｈに配備されている各種の医療機器の管理を行う者Ｕ（以下、「機器管理者Ｕ」と呼ぶ）に対して提供されるサービスである。以下、医療機関Ｈにおいて、機器管理者Ｕによる管理の対象となる医療機器Ｔのことを「管理対象機器Ｔ」と呼ぶ。管理対象機器Ｔとしては、例えば輸液ポンプ、心電送信機、呼吸器、ペースメーカ等が挙げられる。
【００１３】
機器管理者Ｕは、医療機関Ｈに配備された１以上の管理対象機器Ｔの管理を行う者である。具体的には、機器管理者Ｕは、管理者端末２にインストールされた、本サービスを利用可能とする専用のアプリケーションソフトウェア（以下、「専用アプリ」と呼ぶ）により管理対象機器Ｔの管理を行う。また、機器管理者Ｕは、管理者端末２のブラウザ機能により表示される、本サービスを利用可能とする専用のウェブサイトにより管理対象機器Ｔの管理を行うこともできる。なお、機器管理者Ｕ及び管理者端末２は、必ずしも医療機関Ｈに存在している必要はなく、例えば遠隔地に存在していてもよい。
【００１４】
機器管理者Ｕは、本サービスの利用を開始するための準備作業として、サーバ１により提供されるクラウドストレージ（以下、「本クラウド」と呼ぶ）に、管理対象機器Ｔに関する情報（以下、「管理対象情報」と呼ぶ）を登録する（ステップＳＳ１）。
登録される管理対象情報には、管理対象機器Ｔの特定に利用される、機器ビーコン３（図２）を一意に特定可能な番号（以下、「機器ビーコンナンバー」と呼ぶ）が含まれる。また例えば、管理対象機器Ｔの名称、医療機関Ｈが管理対象機器Ｔを資産管理台帳で管理するための番号（以下、「資産管理ナンバー」と呼ぶ）、管理対象機器Ｔのイメージ画像のデータ等も、本サービスに登録される管理対象情報に含まれる。
【００１５】
即ち、機器管理者Ｕは、準備作業として、医療機関Ｈに配備された１以上の管理対象機器Ｔの夫々に、管理対象機器Ｔの特定に利用される機器ビーコン３を取り付ける。機器ビーコン３には、機器ビーコンナンバーが予め付与されている。機器ビーコン３から発信される信号には、機器ビーコンナンバーを少なくとも含む情報（以下、「機器ビーコン情報」と呼ぶ）が含まれている。
【００１６】
また、機器管理者Ｕは、準備作業として、医療機関Ｈ内の各所に、その位置の特定のために利用される位置ビーコン４を設置する。
位置ビーコン４には、自身を一意に特定可能な番号（以下、「位置ビーコンナンバー」と呼ぶ）が予め付与されている。位置ビーコン４から発信される信号には、位置ビーコンナンバーを少なくとも含む情報（以下、「位置ビーコン情報」と呼ぶ）が含まれている。
以下、本明細書では、機器ビーコン情報と位置ビーコン情報とを区別して説明する必要がない場合、これらをまとめて「ビーコン情報」と呼ぶ場合がある。
【００１７】
また、機器管理者Ｕは、準備作業として、医療機関Ｈ内の各所に、機器ビーコン３と位置ビーコン４との夫々から発信される信号を受信可能とするレシーバ５（以下、「固定レシーバ５」と呼ぶ）を設置する。
【００１８】
管理対象機器Ｔが所定位置に存在する場合、当該管理対象機器Ｔに配置された機器ビーコン３から発信された信号（機器ビーコン情報）が固定レシーバ５に受信されて本クラウドに送信される。これと共に、所定位置付近に存在する位置ビーコン４から発信された信号（位置ビーコン情報）も固定レシーバ５に受信されて本クラウドに送信される（ステップＳＳ２）。
【００１９】
本クラウドでは、位置ビーコン４が設置された位置を示す情報（以下、「ビーコン位置情報」と呼ぶ）が、位置ビーコンナンバーに対応付けられて管理されている。これにより、位置ビーコン４から発信された位置ビーコン情報に含まれる位置ビーコンナンバーに対応するビーコン位置情報が参照されて、管理対象機器Ｔ（位置ビーコン４）の所定位置が特定される。
【００２０】
また、本クラウドでは、医療機関Ｈの館内の地図に関する情報（以下、「館内地図情報」と呼ぶ）が予め管理されている。これにより、機器ビーコンナンバー、位置ビーコンナンバー、ビーコン位置情報、及び館内地図情報に基づいて、管理対象機器Ｔの具体的な位置が特定される。
【００２１】
管理対象機器Ｔの具体的な位置が特定されると、これを示す情報（以下、「機器位置情報」と呼ぶ）が生成される。これにより、機器管理者Ｕは、管理者端末２から所定の問い合わせを行うことで、機器位置情報を取得することができる（ステップＳＳ３）。この場合、サーバ１は、管理者端末２から問い合せがあったことをトリガとして、その管理対象機器Ｔの機器位置情報を生成することができる。
【００２２】
また、サーバ１は、本クラウドに機器ビーコン情報と位置ビーコン情報とが新たに取得されたことをトリガとして、その管理対象機器Ｔの機器位置情報を生成することもできる。この場合、生成された機器位置情報が所定条件を満たすと、機器管理者Ｕにその旨が通知されるようにすることもできる（ステップＳＳ４）。具体的には例えば、管理対象機器Ｔ毎に医療機関Ｈ内で存在すべき領域を予め設定しておいて、管理対象機器Ｔがその領域を出た旨が機器管理者Ｕに通知がなされるようにすることもできる。
【００２３】
ここで、機器管理者Ｕに対する通知の手法は特に限定されず、例えばメールによるもの（お知らせメール）であってもよいし、管理者端末２の画面にその旨のメッセージを表示させるもの（プッシュ通知）であってもよい。また、警報となる音声（例えばメロディや声によるメッセージ）や光が出力されるようにしてもよい。
【００２４】
次に、図２を参照して、機器ビーコン情報と位置ビーコン情報とがどのように取得されるのかについて説明する。
図２は、ビーコン情報を取得するための具体的手法を示す図である。
【００２５】
医療機関Ｈの各所に配備された管理対象機器Ｔの夫々には機器ビーコン３が取り付けられている。また、医療機関Ｈの病室や廊下等の各所には、Ｗｉ−ＦｉルータＷと、位置ビーコン４とが設置されている。また、本実施形態において、医療機関Ｈに勤務する看護師ＮＡは、看護師端末６を携帯して勤務している。
【００２６】
Ｗｉ−ＦｉルータＷは、インターネット回線を無線ＬＡＮ（Ｌｏｃａｌ  Ａｒｅａ  Ｎｅｔｗｏｒｋ）の信号に変換することで、医療機関Ｈ内に存在する電子機器を無線でインターネット回線に接続する。
【００２７】
機器ビーコン３と位置ビーコン４との夫々は、所定のタイミングで、機器ビーコン情報と位置ビーコン情報を発信する。
なお、機器ビーコン３と位置ビーコン４の夫々から発信される信号の到達距離は、求められる精度に応じて任意に調整することができる。即ち、信号の到達距離を短くすることで精度を上げることができる。また、反対に、精度を下げることで信号の到達距離を長くすることができる。このため、例えば位置ビーコン４の設置台数を増やすとともに、夫々から発信される信号の到達距離を短くすることで精度を上げることができる。なお、本実施形態では、機器ビーコン３と位置ビーコン４との夫々から発信される信号の到達距離を数メートル程度に調整している。このため、信号の届く半径数メートルの領域内に設置されている固定レシーバ５が信号を受信する。
また、看護師端末６には、機器ビーコン３と位置ビーコン４との夫々から発信される信号を受信するための専用のアプリケーションソフトウェア（以下、「レシーバ専用アプリ」と呼ぶ）がインストールされている。このため、看護師端末６も、固定レシーバ５と同様に、機器ビーコン３と位置ビーコン４との夫々から発信される機器ビーコン情報と位置ビーコン情報との夫々を取得することができる。看護師端末６は、取得した機器ビーコン情報と位置ビーコン情報との夫々をＷｉ−ＦｉルータＷを介して本クラウドに送信する。サーバ１は、本クラウドに集積された機器ビーコン情報と位置ビーコン情報とに基づいて、管理対象機器Ｔの機器位置情報を生成する。
【００２８】
なお、上述したように、サーバ１は、固定レシーバ５から得られる情報のみに基づいて機器位置情報をある程度生成することもできる。ただし、医療機関Ｈ内を隈なく移動する複数の看護師ＮＡの夫々により携帯される看護師端末６の夫々から得られる情報を含めることで、生成される機器位置情報の粒度を上げることができる。
また、固定レシーバ５の設置台数を増やすことでも機器位置情報の粒度を上げることができる。しかしながら、固定レシーバ５の調達コストを考慮した場合、他の用途（例えば医療機関Ｈ内の連絡通信手段）を有する看護師端末６にレシーバ専用アプリをインストールして運用する方が効率的である。
【００２９】
また、本サービスによれば、例えば以下のようなサービスを実現させることもできる。
即ち、看護師端末６は機器ビーコン情報と位置ビーコン情報とを本クラウドに送信するので、サーバ１は、管理対象機器Ｔの機器位置情報を生成するだけではなく、看護師端末６の移動履歴を管理することもできる。つまり、本サービスによれば、看護師端末６を携帯する看護師ＮＡの活動記録を管理することが可能となる。具体的には例えば、看護師ＮＡにより作成された業務記録（例えば日報）の内容と、看護師端末６の移動履歴（即ち、活動記録）とを比較することで、業務記録を検証することができる。これにより、看護師ＮＡにより作成される業務記録の不正をなくすことができるので、業務記録の信ぴょう性を高めることができる。
【００３０】
また、業務記録の検証の結果に基づく看護師ＮＡの信用をスコア化させることもできる。例えば、業務記録を検証した結果、看護師端末６の移動履歴との間にタイムラグを生じさせることなく業務を行ったのであれば、対象となる看護師ＮＡの信用のスコアはアップする。これに対して、業務記録を検証した結果、看護師端末６の移動履歴との間にタイムラグが生じているようであれば、その理由によって、対象となる看護師ＮＡの信用のスコアがダウンすることもある。
【００３１】
また、医療機関Ｈにおける業務の導線のオペレーションの最適化を図ることができる。具体的には例えば、ある業務が開始される前の所定のタイミングで、その業務の内容が看護師端末６に表示されるようにすることもできる。また例えば、ナースコールをした患者に対応できるベストな看護師ＮＡに連絡が行くようにすることもできる。
【００３２】
また、医療機関Ｈにおける資産管理との連携を図ることができる。具体的には、本サービスと、医療機関Ｈで別途管理されている資産管理台帳とを連携させることで、管理対象機器Ｔが医療現場で必要となるタイミングで、その旨の連絡がなされるようにすることができる。なお、当該連絡の態様は特に限定されない。例えばメール等のプッシュ型の通知であってもよい。このような連携を図ることで、資産管理台帳で管理対象機器Ｔの使用頻度を確認することができるので、全ての管理対象機器Ｔの使用頻度を管理してコントロールすることもできる。これにより、例えば本サービスと、管理対象機器Ｔの使用頻度や経過年数に関するデータとを連携させることができるので、メンテナンスが必要となるタイミングをプッシュで通知されるようにすることもできる。
【００３３】
また、管理対象機器Ｔに保険をつけることもできる。これにより、万が一紛失した場合であっても、所定条件を満たせば保証される。
【００３４】
次に、図１及び図２に示す本サービスを実現可能とする情報処理システムの構成の一例について説明する。
図３は、本発明の一実施形態に係る情報処理システムの構成の一例を示すブロック図である。
【００３５】
図３に示す情報処理システムは、サーバ１と、管理者端末２と、機器ビーコン３と、位置ビーコン４と、固定レシーバ５と、看護師端末６とを含む。
サーバ１と、管理者端末２と、固定レシーバ５と、看護師端末６とはインターネット（Ｉｎｔｅｒｎｅｔ）等のネットワークＮを介して相互に接続されている。なお、ネットワークＮは、その形態は特に限定されず、例えば、Ｂｌｕｅｔｏｏｔｈ（登録商標）、Ｗｉ−Ｆｉ、ＬＡＮ（Ｌｏｃａｌ  Ａｒｅａ  Ｎｅｔｗｏｒｋ）等であってもよい。また、機器ビーコン３と位置ビーコン４との夫々から発信された信号は、固定レシーバ５と看護師端末６とが夫々受信する。
なお、図３には、固定レシーバ５と看護師端末６とが夫々１台ずつのみ描画されているが、これは説明を理解し易くするためのものである。即ち、実際の医療機関Ｈには看護師ＮＡや病室等が複数存在するのが一般的であるため、図示せぬ複数の固定レシーバ５と看護師端末６とが夫々存在し得る。
【００３６】
サーバ１は、上述したように、サービス提供者Ｇにより管理される情報処理装置である。サーバ１は、本クラウドに集積された機器ビーコン情報と位置ビーコン情報との組み合わせに基づいて、管理対象機器Ｔの機器位置情報を生成する。サーバ１により生成された機器位置情報は、機器管理者Ｕが管理者端末２を操作することで閲覧することができる。
【００３７】
管理者端末２は、上述したように、機器管理者Ｕにより操作される情報処理装置である。管理者端末２は、例えばパーソナルコンピュータ、スマートフォンやタブレット等で構成される。
【００３８】
機器ビーコン３は、上述したように、管理対象機器Ｔに取り付けられたビーコンである。機器ビーコン３は、機器ビーコンナンバーを少なくとも含む機器ビーコン情報を発信する。
【００３９】
位置ビーコン４は、上述したように、医療機関Ｈ内の各所に設置されたビーコンである。位置ビーコン４は、位置ビーコンナンバーを少なくとも含む位置ビーコン情報を発信する。
【００４０】
固定レシーバ５は、上述したように、医療機関Ｈ内の各所に設置されるレシーバである。固定レシーバ５は、機器ビーコン３と位置ビーコン４との夫々から発信される機器ビーコン情報と位置ビーコン情報を取得して本クラウドに送信するレシーバとして機能する。
【００４１】
看護師端末６は、上述したように、看護師ＮＡにより、主に医療機関Ｈ内における連絡通信手段として用いられる携帯端末である。看護師端末６にはレシーバ専用アプリがインストールされている。これにより、看護師端末６は、機器ビーコン３と位置ビーコン４との夫々から発信される機器ビーコン情報と位置ビーコン情報の夫々を取得して本クラウドに送信するレシーバとして機能する。看護師端末６は、例えばスマートフォンやタブレット等で構成される。
【００４２】
図４は、図３の情報処理システムのうち、サーバのハードウェア構成の一例を示すブロック図である。
【００４３】
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｙ）１３と、バス１４と、入出力インターフェース１５と、入力部１６と、出力部１７と、記憶部１８と、通信部１９と、ドライブ２０と、を備えている。
【００４４】
ＣＰＵ１１は、ＲＯＭ１２に記録されているプログラム、又は記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００４５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、出力部１７、記憶部１８、通信部１９及びドライブ２０が接続されている。
【００４６】
入力部１６は、各種ハードウェア釦等で構成され、操作者の指示操作に応じて各種情報を入力する。
出力部１７は、液晶等のディスプレイにより構成され、各種画像を表示する。
【００４７】
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（管理者端末２、固定レシーバ５、及び看護師端末６等）との間で行う通信を制御する。
【００４８】
ドライブ２０は、必要に応じて設けられる。ドライブ２０には、磁気ディスク、光ディスク、光磁気ディスク、或いは半導体メモリ等よりなる、リムーバブルメディア４０が適宜装着される。ドライブ２０によってリムーバブルメディア４０から読み出されたプログラムは、必要に応じて記憶部１８にインストールされる。また、リムーバブルメディア４０は、記憶部１８に記憶されている各種データも、記憶部１８と同様に記憶することができる。
【００４９】
このような図４のサーバ１の各種ハードウェアと各種ソフトウェアとの協働により、後述する各種処理の実行が可能になる。
なお、図示はしないが、図３の情報処理システムのうち、管理者端末２及び看護師端末６も、図４に示すハードウェア構成を有している。このため、管理者端末２及び看護師端末６のハードウェア構成についての説明は省略する。ただし、管理者端末２及び看護師端末６がスマートフォンやタブレットで構成される場合には、入力部１６及び出力部１７として、タッチパネルを有している。
【００５０】
図５は、図４のサーバにより実行が制御される処理のうち、機器位置情報報知処理を実現させる機能的構成の一例を示す機能ブロック図である。
【００５１】
「機器位置情報報知処理」とは、医療機関Ｈに配備された個々の管理対象機器Ｔ毎の機器位置情報の報知が行われる際に実行が制御される処理のことをいう。機器位置情報報知処理の実行が制御されることで、機器管理者Ｕは管理対象機器Ｔの位置を容易に把握することができる。
【００５２】
図５に示すように、サーバ１のＣＰＵ１１においては、機器位置情報報知処理の実行が制御される場合には、取得部１０１と、生成部１０２と、報知制御部１０３とが機能する。また、サーバ１の記憶部１８の一領域には、機器ＤＢ１８１と、ビーコンＤＢ１８２と、地図ＤＢ１８３と、管理者ＤＢ１８４と、が設けられている。
【００５３】
取得部１０１は、管理対象機器Ｔを本サービスに登録するために管理者端末２より送信されてきた管理対象情報を取得する。取得部１０１により取得された管理対象情報は、機器ＤＢ１８１に記憶されて管理される。
また、取得部１０１は、固定レシーバ５又は看護師端末６から送信されてきた機器ビーコン情報及び位置ビーコン情報を取得する。取得部１０１により取得された機器ビーコン情報及び位置ビーコン情報は、ビーコンＤＢ１８２に記憶されて管理される。
【００５４】
生成部１０２は、機器ＤＢ１８１の管理対象情報と、ビーコンＤＢ１８２の機器ビーコン情報及び位置ビーコン情報と、地図ＤＢ１８３の館内地図情報とに基づいて、管理対象機器Ｔの位置を特定し、機器位置情報を生成する。機器位置情報の生成は、管理者端末２から問い合せがあったタイミングで行われてもよいし、機器ビーコン情報及び位置ビーコン情報が新たに取得されたタイミングで行われてもよい。
【００５５】
報知制御部１０３は、生成部１０２により生成された管理対象機器Ｔの機器位置情報を、管理者端末２に報知する制御を実行する。具体的には例えば、報知制御部１０３は、管理者端末２からの問い合せがあったタイミングで機器位置情報を報知する制御を実行してもよい。また例えば、報知制御部１０３は、管理対象機器Ｔが所定領域を出たタイミングで、その旨を示すメッセージ（例えば上述の「お知らせメール」や「プッシュ通知」）とともに機器位置情報を報知してもよい。
【００５６】
次に、図６乃至図９を参照して、図３の情報処理システムを構成する管理者端末２にインストールされた専用アプリのＵＩ（Ｕｓｅｒ  Ｉｎｔｅｒｆａｃｅ）の具体例について説明する。
図６は、図３の管理者端末にインストールされた専用アプリのＵＩのうち、トップ画面の一例を示す図である。
【００５７】
機器管理者Ｕは、管理者端末２を操作して専用アプリにログインすると、例えば図６に示すようなトップ画面が表示される。図６に示すトップ画面には、「フロア利用状況」と表記されたボタンＢ１と、「利用状況一覧」と表記されたボタンＢ２と、「登録リスト」と表記されたボタンＢ３と、「新規登録」と表記されたボタンＢ４とが表示される。また、サービス提供者Ｇからのお知らせが表示される。
ここで、機器管理者ＵがボタンＢ１を押下すると、管理対象機器Ｔの具体的な位置を、医療機関Ｈの棟毎及びフロア毎に示したフロア利用状況画面が表示される。なお、フロア利用状況画面の詳細については、図７を参照して後述する。
また、機器管理者ＵがボタンＢ２を押下すると、管理対象機器Ｔの利用状況を、医療機関Ｈの棟毎及びフロア毎に示した利用状況一覧画面が表示される。なお、利用状況一覧画面の詳細については、図８を参照して後述する。
また、機器管理者ＵがボタンＢ３を押下すると、管理対象機器Ｔの登録状況を示した登録リスト画面が表示される。なお、登録リスト画面の詳細については、図９を参照して後述する。
また、機器管理者ＵがボタンＢ４を押下すると、管理対象機器Ｔを新規に登録するための新規登録画面が表示される。なお、新規登録画面の詳細については、図１０を参照して後述する。
【００５８】
図７は、図３の管理者端末にインストールされた専用アプリのＵＩのうち、フロア利用状況画面の一例を示す図である。
【００５９】
フロア利用状況画面には、管理対象機器Ｔの具体的な位置に関する情報が、医療機関Ｈの棟毎及びフロア毎に示される。例えば図７に示すフロア利用状況画面には、医療機関Ｈの南棟の４階に存在する複数種類の管理対象機器Ｔの夫々の具体的な位置を示すアイコンｔが地図上に複数示されている。
また、フロア利用状況画面の右上には、地図上にアイコンｔを表示させる管理対象機器Ｔの種類を絞込検索するためのボタンＢ５と、さらなる絞込検索を行うための番号入力欄Ｒ１と、検索を開始するためのボタンＢ６とが設けられている。番号入力欄Ｒ１に入力する番号は、管理対象機器Ｔの種類毎に予め付与された番号となる。具体的には例えば、機器管理者Ｕは、ボタンＢ５で「人工呼吸器」を選択した後に、「００１」、「００２」といった数値を入力してボタンＢ６を押下する。これにより、機器管理者Ｕは、フロア利用状況画面にアイコンｔで表示させる管理対象機器Ｔを絞り込むことができる。
機器管理者Ｕは、管理者端末２に表示されたフロア利用状況画面を閲覧するだけで、医療機関Ｈに存在する個々の管理対象機器Ｔの具体的な位置を容易に把握することができる。
【００６０】
図８は、図３の管理者端末にインストールされた専用アプリのＵＩのうち、利用状況一覧画面の一例を示す図である。
【００６１】
利用状況一覧画面には、管理対象機器Ｔの具体的な位置を、医療機関Ｈの棟毎及びフロア毎に表組みで一覧化したものが表示される。具体的には例えば、図８に示すように、医療機関Ｈの南棟及び北棟のフロア毎に夫々存在する管理対象機器Ｔの一例として、人工呼吸器、心電図送信機、及びペースメーカの夫々の台数が表示される。また、南棟、北棟、及びＭＥ管理室（医療機器中央管理室）の夫々に存在する、人工呼吸器、心電図送信機、及びペースメーカの夫々の合計台数が表示される。
機器管理者Ｕは、管理者端末２に表示された利用状況一覧画面を閲覧するだけで、医療機関Ｈに存在する個々の管理対象機器Ｔの位置（棟及びフロア）と種類毎の台数とを容易に把握することができる。
【００６２】
図９は、図３の管理者端末にインストールされた専用アプリのＵＩのうち、登録リスト画面の一例を示す図である。
【００６３】
登録リスト画面には、個々の管理対象機器Ｔの登録状況が一覧表示される。また、登録済みの管理対象機器Ｔの台数が右上に表示される。機器管理者Ｕは、登録リスト画面に設けられたボタンＢ７を押下することで、一覧表示させる管理対象機器Ｔの種類を選択することができる。具体的には例えば、図９に示すように、ボタンＢ７で「人工呼吸器」が選択されると、医療機関Ｈに存在する人工呼吸器として登録されているものに関する情報が一覧表示される。表示される情報には、例えば名称、機器ビーコンナンバー、利用状況等が含まれる。また、一覧表示された個々の管理対象機器Ｔに関する情報は、「編集」と表記されたボタンＢ８を押下することで個別に編集することができる。
機器管理者Ｕは、登録リスト画面を閲覧するだけで、医療機関Ｈに存在する医療機器のうち管理対象機器Ｔとして登録済みのものに関する情報を容易に把握することができる。
【００６４】
図１０は、図３の管理者端末にインストールされた専用アプリのＵＩのうち、新規登録画面の一例を示す図である。
【００６５】
新規登録画面には、管理対象機器Ｔとして本サービスに登録するための各種の操作ボタン等が設けられている。機器管理者Ｕは、必須項目として、管理対象機器Ｔの名称、機器ビーコンナンバー、管理部署、資産管理ナンバー、及びイメージ画像（例えば管理対象機器Ｔの撮像画像のデータ）を登録する。具体的には例えば、図１０の例には、名称が「輸液ポンプ」、機器ビーコンナンバーが「ＸＸＸＸＸ」、管理部署が「ＭＥ管理室」、資産管理ナンバーが「●●００１」である管理対象機器Ｔを登録する際の画面が示されている。
【００６６】
また、図示はしないが、機器管理者Ｕは、編集画面を表示させることで、登録済の管理対象機器Ｔに関する情報の編集を行うことができる。例えば、機器管理者Ｕは、図１０の新規登録画面に入力項目として表示されている、管理対象機器Ｔの名称、機器ビーコンナンバー、管理部署、資産管理ナンバー、及びイメージ画像を編集することができる。また、機器管理者Ｕは、管理対象機器Ｔを廃棄等した場合には、登録された情報を削除する操作を行うこともできる。
【００６７】
以上、本発明の情報処理装置の一実施形態について説明したが、本発明は上述した本実施形態に限るものではない。また、本実施形態に記載された効果は、本発明から生じる最も好適な効果を列挙したに過ぎず、本発明による効果は、本実施形態に記載されたものに限定されるものではない。
【００６８】
例えば、上述の実施形態では、医療機関Ｈの各所にＷｉ−ＦｉルータＷが設置されている状況（即ち、いわゆるＷｉ−Ｆｉ環境が整っている状況）で本サービスが提供されている。ただし、これに限定されず、Ｗｉ−Ｆｉ環境が整っていない医療機関Ｈにも本発明を適用することができる。例えば、管理対象機器Ｔが電力を供給可能とする（例えばコンセント（メス）を有する）高額医療機器である場合には、以下の手法を用いて機器位置情報を生成することができる。即ち、ＳＩＭ（Ｓｕｂｓｃｒｉｂｅｒ  Ｉｄｅｎｔｉｔｙ  Ｍｏｄｕｌｅ）カードを搭載したレシーバ（以下、「ＳＩＭ付レシーバ」と呼ぶ）を高額医療機器（管理対象機器Ｔ）に取り付けてもよい。この場合、ＳＩＭ付レシーバは、高額医療機器（管理対象機器Ｔ）から電力の供給を受けることで、機器ビーコン情報と位置ビーコン情報とを取得し、Ｗｉ−ＦｉルータＷを介することなくサーバ１に送信する。
これにより、Ｗｉ−Ｆｉ環境が整っていない医療機関Ｈにも本発明を適用することができる。さらに、ＳＩＭ付レシーバが取り付けられた高額医療機器（管理対象機器Ｔ）が医療機関Ｈの外に持ち出された場合であっても、Ｗｉ−Ｆｉ環境に関係なく機器位置情報を取得することができる。
【００６９】
また例えば、上述の実施形態では、管理対象機器Ｔに機器ビーコンを設置する態様になっているが、これに限定されない。例えば、管理対象機器ＴにＲＦＩＤ（（Ｒａｄｉｏ  ｆｒｅｑｕｅｎｃｙ  ｉｄｅｎｔｉｆｉｅｒ））を設置してもよい。
また例えば、図示はしないが、医療機関Ｈの各所に一般的な監視カメラを設置してもよい。この場合、固定レシーバ５と一般的な監視カメラとの組み合わせることで、以下のような管理が可能となる。即ち、管理対象機器Ｔが固定レシーバ５を通過したタイミングでカメラが起動して、管理対象機器Ｔの撮像画像が保存されるようにすることができる。これにより、保存された撮像画像のデータを解析することで、管理対象機器Ｔの管理上有益となる情報を得ることも可能となる。
また例えば、図示はしないが、医療機関Ｈの各所にサーモカメラを設置してもよい。この場合、固定レシーバ５とサーモカメラとの組み合わせることで、以下のような管理が可能となる。即ち、管理対象機器Ｔが固定レシーバ５を通過したタイミングで、サーモカメラが起動して、同じタイミングで通過した人間の体温を検知するようにすることができる。サーモカメラが人間の体温を検知した場合には、その旨が管理者端末２に報知されるようにすることもできる。
【００７０】
また、医療機関Ｈから、訪問介護先や在宅医療に管理対象機器Ｔを貸し出すことが多い場合には、訪問介護先や在宅医療の現場に固定レシーバ５を設置することで、管理対象機器Ｔを適切に管理することができる。また例えば、看護師端末６と同様に、訪問介護を行う者のスマートフォンにレシーバ専用アプリをインストールしてもよい。
【００７１】
また例えば、上述の実施形態では、管理の対象が医療機器となっているが、これに限定されない。例えば人間を管理の対象とすることもできる。この場合、例えば機器ビーコン３と、レシーバ専用アプリがインストールされたスマートフォン等との距離が所定値以上になった場合に、その旨が報知されるようにする。これにより、例えば上述の機器ビーコン３を訪問介護先の要介護者に装着させて、要介護者のスマートフォン（レシーバ専用アプリあり）との距離が所定値以上になった場合に、その旨が報知されるようにすることができる。また、要介護者の自宅の玄関に固定レシーバ５を設置して、要介護者が玄関を通過すると、その旨が報知されるようにすることもできる。
【００７２】
また例えば、報知の手法として、機器ビーコン３等から音声（例えばメロディや声によるメッセージ）が出力されるようにすることもできる。これにより、迅速かつ確実に要介護者を見つけることができる。また必要な呼びかけを行うことができる。具体的には例えば、要介護者に機器ビーコン３を装着させて、自宅から出そうになったことを固定レシーバ５が検知し、娘の声（出力される音声）で呼びかけを行うこともできる。この場合、任意の音声を選択できるようにしてもよい。また、出力される機器毎に変更できるようにしてもよい。これにより、例えばブザー音を不安に感じるような人に配慮することができる。
【００７３】
また、上述の行動履歴から独自のスコアリングを構築し、そのスコアを商品として販売することもできる。具体的には例えば、特定施設、施設規模、紛失頻度、破損頻度などのスコア化を行い保険会社などに販売することもできる。
【００７４】
また、図６乃至図１０に示すＵＩは、管理者端末２に表示されるだけではなく、看護師端末６に表示されてもよい。
【００７５】
また、図３に示すシステム構成、図４に示すハードウェア構成、及び図５に示す機能的構成は、本発明の目的を達成するための例示に過ぎず、特に限定されない。
【００７６】
換言すると、図５に示す機能的構成は例示に過ぎず、特に限定されない。
即ち、上述した一連の処理を全体として実行できる機能が、図３に示す情報処理システムに備えられていれば足り、この機能を実現するためにどのような機能ブロックを用いるのかは特に図５の例に限定されない。また、機能ブロックの存在場所も、図５に特に限定されず、任意でよい。例えば、サーバ１の機能ブロックを、管理者端末２、あるいは図示せぬ他の情報処理装置等に移譲してもよい。即ち、サーバ１による機器位置情報報知処理を管理者端末２が行えるようにすることもできる。
また、１つの機能ブロックは、ハードウェア単体で構成してもよいし、ソフトウェア単体で構成してもよいし、それらの組み合わせで構成してもよい。
【００７７】
また例えば、一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。
また、コンピュータは、各種のプログラムをインストールすることで、各種の機能を実行することが可能なコンピュータ、例えばサーバの他汎用のスマートフォンやパーソナルコンピュータであってもよい。
【００７８】
また例えば、このようなプログラムを含む記録媒体は、利用者にプログラムを提供するために装置本体とは別に配布される図示せぬリムーバブルメディアにより構成されるだけでなく、装置本体に予め組み込まれた状態で利用者に提供される記録媒体等で構成される。
【００７９】
このようなプログラムを含む記録媒体は、ユーザにプログラムを提供するために装置本体とは別に配布される図７のリムーバブルメディア４０により構成されるだけでなく、装置本体に予め組み込まれた状態で各ユーザに提供される記録媒体等で構成される。リムーバブルメディア４０は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図４のＲＯＭ１２や、図４の記憶部１８に含まれるハードディスク等で構成される。
【００８０】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００８１】
以上まとめると、本発明が適用される情報処理システムは、次のような構成を取れば足り、各種各様な実施形態を取ることができる。
即ち、本発明が適用される情報処理システムは、
到達距離まで信号を発信する第１発信機（例えば図２の位置ビーコン４）及び第２発信機（例えば図２の機器ビーコン３）と、前記信号を受信し得る受信機（例えば図２の固定レシーバ５や看護師端末６）と、情報処理装置（例えば図２のサーバ１）とを備える情報処理システムにおいて、
前記第１発信機は、不動産内の所定位置（例えば図２の医療機関Ｈの病室）に固定され、
前記第２発信機は、前記不動産内を少なくとも移動可能な移動体（例えば図２の管理対象機器Ｔや人）に配置され、
前記情報処理装置は、
前記第１発信機から発信されて前記受信機に受信された信号（例えば図２の位置ビーコン情報）と、前記第２発信機から発信されて前記受信機に受信された信号（例えば図２の機器ビーコン情報）との組み合わせに基づいて、前記移動体の位置の特定を行う特定手段（例えば図５のサーバ１の生成部１０２）、
を備える。
【００８２】
このようにして、不動産内の所定位置に設置された第１発信機から発信された信号と、移動体に設置された第２発信機から発信された第２信号とが受信される。ここで、第１発信機から発信された信号には、第１発信機の位置（不動産内の所定位置）を特定可能とする情報が含まれている。第２発信機から発信された信号には、第２発信機を一意に特定可能とする情報が含まれている。特定手段は、これらの２つの信号の組み合わせに基づいて、移動体の位置の特定（所定位置であるという特定）を行う。その結果、移動体の迷子や遺失に伴う事務の時間的な損失を防ぐことが可能となる。
【００８３】
また、前記受信手段には、前記不動産内の所定位置に固定されたもの（例えば図２の固定レシーバ５）と、前記不動産内を移動可能とするもの（例えば図２の看護師端末６）とが含まれるようにすることができる。
【００８４】
このようにして、不動産に固定された受信機のみならず、移動可能な受信機を併用することで、移動体の位置の特定の粒度を高めることができる。
【００８５】
また、前記受信手段は、通信機能を備え（例えば上述のＳＩＭ付レシーバ）、前記移動体に設置することができる。
【００８６】
このようにして、移動体にさらに通信機能を持たせることができるので、例えばＷｉ−Ｆｉ環境を整える必要がなくなる。さらに、不動産の外においても移動体の位置の特定が可能となる。
【符号の説明】
【００８７】
１・・・サーバ、２・・・管理者端末、３・・・機器ビーコン、４・・・位置ビーコン、５・・・固定レシーバ、６・・・看護師端末、１１・・・ＣＰＵ、１２・・・ＲＯＭ、１３・・・ＲＡＭ、１４・・・バス、１５・・・入出力インターフェース、１６・・・入力部、１７・・・出力部、１８・・・記憶部、１９・・・通信部、２０・・・ドライブ、４０・・・リムーバブルメディア、１０１・・・取得部、１０２・・・生成部、１０３・・・報知制御部、１８１・・・機器ＤＢ、１８２・・・ビーコンＤＢ、１８３・・・地図ＤＢ、１８４・・・管理者ＤＢ、Ｇ・・・サービス提供者、Ｕ・・・機器管理者、ＮＡ・・・看護師、Ｎ・・・ネットワーク
【図１】
2022000941.tif 000003
【図２】
2022000941.tif 000004
【図３】
2022000941.tif 000005
【図４】
2022000941.tif 000006
【図５】
2022000941.tif 000007
【図６】
2022000941.tif 000008
【図７】
2022000941.tif 000009
【図８】
2022000941.tif 000010
【図９】
2022000941.tif 000011
【図１０】
2022000941.tif 000012